(57)【要約】【課題】  １２ｃｍディスク専用のスロットイン方式のディスク装置において、８ｃｍディスクの装置内部への進入を阻止して、装置の故障を防止することができるディスク装置を提供する。【解決手段】  ディスク支持アーム１７が１２ｃｍディスクＤの搬入を待機している状態において、８ｃｍディスクＤｓが挿入され、ディスク支持アーム１７のホルダー１８によって装置内部への進入を阻止できない場合に、８ｃｍディスクＤｓの前周縁が、ディスク支持アーム１７の先端に取り付けたストッパ１９の当接部１９ａに当接することによって、８ｃｍディスクＤｓの装置内部への進入を阻止する。【選択図】  図５
2005243091.tif 000002
【特許請求の範囲】
【請求項１】
支持アームを駆動することにより規定外径のディスクを搬入または搬出するようにしたディスク装置であり、
前記支持アームがディスクの搬入を待機している状態において、ディスク挿入口から規定外径より小径のディスクが支持アームによる支持可能の範囲外に挿入されるのを制止するようにしたディスク進入阻止手段を備えたことを特徴とするディスク装置。
【請求項２】
前記ディスク進入阻止手段は、小径のディスクの進入方向における前周縁に接触する当接部を有するストッパであり、
該ストッパは、前記支持アームに取り付けられていることを特徴とする請求項１記載のディスク装置。
【請求項３】
前記支持アームに取り付けられたストッパは弾性を有し、小径のディスクの前周縁が前記ストッパの当接部を押圧したとき、その押圧により発生した弾性力により前記小径のディスクが搬出方向に押し戻されるようにしたことを特徴とする請求項２記載のディスク装置。
【請求項４】
規定外径のディスクの搬入を完了し、該ディスクの支持アームによる支持が解除されている状態において、支持アームに取り付けられたストッパの当接部が装置内部の内壁に摺接するようにし、前記支持アームに対する防振機能が発生するようにしたことを特徴とする請求項２または請求項３記載のディスク装置。
【発明の詳細な説明】
【技術分野】
【０００１】
本発明は、各種コンピュータシステムなどの情報機器において、大量の情報を記録する記録媒体としての光ディスク(例えば、ＣＤ−Ｒ／ＲＷ、ＤＶＤ−Ｒ／−ＲＷ／ＲＡＭ／＋Ｒ／＋ＲＷなど）をドライブするディスク装置に関し、特に径の異なるディスクの誤挿入を防止するための機構に関するものである。
【背景技術】
【０００２】
一般にパーソナルコンピュータ（以下、パソコンという）などに内蔵されているディスク装置は、通常、ディスクを装填するディスクトレイを備えており、このディスクトレイが前進後退するように構成されている。そして、ディスクトレイに装填されたディスクは、ディスク装置の本体内でドライブされ、情報の記録または再生が行われる。
【０００３】
一方、ディスクトレイを用いない方式として、いわゆるスロットイン方式のディスク装置も多く採用される傾向にあり、パソコンの薄型化、小型化に好適なものとなっている。このスロットイン方式のディスク装置は、装置本体へのディスクのロード（搬入）／アンロード（搬出）にディスクトレイを用いないため、操作者がディスクの過半をスロットに差し込むと、以後、装置本体のローディング機構が作動して自動的にロードされるようになっている。
【０００４】
図８ならびに図９は、従来のスロットイン方式のディスク装置におけるローディング機構の構成および動作態様を示すものである。同図に示す構成においては、ディスクＤを操作者が挿入すると、ディスクＤは第１の揺動体１００の先端のピン１００ａおよび左右のガイド体１０１・１０２、そして途中から第２の揺動体１０３の先端のピン１０３ａにより高さ方向と左右位置を規制されながら図８に示す位置まで到達する。
【０００５】
このとき、第１の揺動体１００はディスクＤにより先端のピン１００ａが押されて矢印１００Ａ方向に回転し、また、第２の揺動体１０３もディスクＤにより先端のピン１０３ａが押されて矢印１０３Ａ方向に回転する。そして、スイッチレバー１０４が第２の揺動体１０３の端部に押されて矢印１０４Ａ方向に回転し、検出スイッチ１０５を作動する。
【０００６】
前記検出スイッチ１０５が作動すると駆動手段１０６が始動し、第１のスライド部材１０７の矢印１０７Ａ方向への移動が開始される。この第１のスライド部材１０７と第２のスライド部材１０８は、各先端がスライド連結部材１０９で連結され、このスライド連結部材１０９がピン１１０で揺動可能に枢支されているので、第１のスライド部材１０７の後退に同期して第２のスライド部材１０８が矢印１０８Ａ方向に前進する。
【０００７】
このようにして、第１のスライド部材１０７が後退を開始すると、このスライド部材１０７に片持ち状態で支持されている第１の揺動体１００は第１のスライド部材１０７のカム溝１０７ａで従動ピン１００ｂが案内されることから、支点１００ｃを中心に矢印１００Ｂ方向へ揺動体１００が回転する。これにより第１の揺動体１００の先端のピン１００ａがディスクＤをディスク位置決め部材１１１のピン１１１ａ・１１１ｂに当接するまで矢印１０７Ａ方向へ搬送する。
【０００８】
このとき、第２の揺動体１０３のピン１０３ａは矢印１０３Ａ方向に回転するので、第２の揺動体１０３のピン１０３ａは、第１の揺動体１００の先端のピン１００ａと同期してディスクＤを支持したまま矢印１０３Ａ方向に移動する。そして、ディスクＤがディスク位置決め部材１１１のピン１１１ａ・１１１ｂ当接した後は、ディスクＤから僅かに離れた位置まで回転する。
【０００９】
以上は装置内部へディスクＤを搬入する場合のローディング機構の動作態様であるが、ディスクＤを装置外部へ搬出する場合のローディング機構は、上述の動作と逆の動作態様となる。すなわち、ディスクＤが装置内部で定位置にあるとき、アンロードの指示に基づき駆動手段１０６が逆転方向に始動されると、第１のスライド部材１０７が矢印１０７Ｂ方向に前進を開始する。これに伴って連結部材１０９に連結されている第２のスライド部材１０８が同期して矢印１０８Ｂ方向に後退を開始する。これにより、第１の揺動体１００は矢印１００Ａ方向に、そして第２の揺動体１０３は矢印１０３Ｂ方向に回転するので、各々の先端のピン１００ａ・１０３ａによりディスクが支持されて装置外部へ搬出されることになる。
【００１０】
このように構成されたディスク装置において、装置内部へ搬入されたディスクＤは、定位置で上下動するクランプヘッド１１２にクランプされるようにしてある。このクランプヘッド１１２は、スピンドルモータ１１４の駆動軸に固定されたターンテーブル１１３と一体化されている。さらに前記スピンドルモータ１１４は、フレーム部材１１５に配設され、このフレーム部材１１５を昇降機構により上下動するようにしている（例えば、特許文献１）。
【特許文献１】特開２００２−１１７６０４号公報
【発明の開示】
【発明が解決しようとする課題】
【００１１】
このように構成されたディスク装置は、直径１２ｃｍのディスクをディスク装置内部に正確にローディングすることを目的としたものである。すなわち、ディスク装置内部にディスクをローディングするローディング機構は、１２ｃｍディスクを対象としたものであり、図８ならびに図９に示されるように、第１の揺動体１００の先端のピン１００ａおよび左右のガイド体１０１・１０２、そして第２の揺動体１０３の先端のピン１０３ａは、１２ｃｍディスクの高さ方向と左右位置を規制するように配置されている。また、ディスク位置決め部材１１１のピン１１１ａ・１１１ｂも１２ｃｍディスクを位置決めするように配置されている。したがって、このような構成のスロットイン方式のディスク装置では、直径１２ｃｍ以下の小径ディスクの利用を対象外としている。
【００１２】
しかしながら、操作者の不注意などにより例えば、直径８ｃｍの小径ディスクがスロットから誤って挿入されると、場合によっては、小径ディスクがディスク装置のローディング機構の機構部分に挟まったり、各機構部分が破損したりすることがある。また、小径ディスク全体がスロットからディスク装置内部側に入り込んでしまい、操作者によって小径ディスクを取り出すことが不可能になってしまうことがある。このように、従来のスロットイン方式のディスク装置では、規定の大きさとは異なるディスクの誤挿入がディスク装置を故障させる原因になるという問題を有していた。
【００１３】
本発明は、上記従来技術の有する問題に鑑みなされたものであり、上述したように操作者によって小径ディスクがスロットから誤挿入されるようなことがあっても、小径ディスクのディスク装置内部への進入を確実に阻止し、装置の故障を確実に防止することができるディスク装置を提供することを目的とする。
【課題を解決するための手段】
【００１４】
上記目的を達成するために、本発明は、支持アームを駆動することにより規定外径のディスクを搬入または搬出するようにしたディスク装置であり、前記支持アームがディスクの搬入を待機している状態において、ディスク挿入口から規定外径より小径のディスクが支持アームによる支持可能の範囲外に挿入されるのを制止するようにしたディスク進入阻止手段を備えたことを特徴とするディスク装置である。
【００１５】
また、前記ディスク進入阻止手段は、小径のディスクの進入方向における前周縁に接触する当接部を有するストッパであり、該ストッパは、前記支持アームに取り付けられていることを特徴とするものである。
【００１６】
また、前記支持アームに取り付けられたストッパは弾性を有し、小径のディスクの前周縁が前記ストッパの当接部を押圧したとき、その押圧により発生した弾性力により前記小径のディスクが搬出方向に押し戻されるようにしたことを特徴とするものである。
【００１７】
また、規定外径のディスクの搬入を完了し、該ディスクの支持アームによる支持が解除されている状態において、支持アームに取り付けられたストッパの当接部が装置内部の内壁に摺接するようにし、前記支持アームに対する防振機能が発生するようにしたことを特徴とするものである。
【発明の効果】
【００１８】
本発明によれば、操作者によって小径ディスクがスロットから誤挿入されるようなことがあっても、小径ディスクのディスク装置内部への進入を確実に阻止し、装置の故障を確実に防止することができる。
【発明を実施するための最良の形態】
【００１９】
以下に、本発明の実施の形態によるディスク装置について図を用いて説明する。
【００２０】
図１は、本発明を実施したスロットイン方式のディスク装置１の外観を示す図であり、シールド状態に構成されたシャーシケース２の天板の中央に開口２ａが形成されており、さらにこの開口２ａの開口周縁部に内部へ突出する凸部２ｂが形成されている。シャーシケース２の前端にはベゼル３が固定されており、このベゼル３には、規定外径のディスク、具体的には直径１２ｃｍのディスクＤを挿入するスロット３ａと収容されているディスクＤの装置外部への搬出を指示するための押釦４とディスク装置１の動作状態を表示するためのインジケータ５を備える。
【００２１】
図２は、ディスク装置１のシャーシケース２の天板部分を除去した状態の平面図である。同図において、シャーシケース２内にはベースパネル６が配設されており、その中央から斜め下方への配置状態でディスクＤに対する駆動系ユニットＡが設けられている。この駆動系ユニットＡは、ディスクＤの中心孔Ｄａをクランプまたはクランプされている状態を解除するため、水平状態で上下動可能となるようにしたフレーム部材８が既知の緩衝支持構造９により複数箇所（本実施例では３箇所）でベースパネル６に連結されている。なお、フレーム部材８の駆動構造は、一端を軸支した片持ち状態とし、先端部を揺動させてクランプヘッド７を上下動させる方式でもよい。
【００２２】
前記フレーム部材８の先端には、搬入して停止した直径１２ｃｍのディスクＤの中心に対応する位置にクランプヘッド７が配置される。このクランプヘッド７はターンテーブル１０と一体に構成され、直下に配したスピンドルモータ１１の駆動軸に固定されており、このスピンドルモータ１１によりクランプヘッド７にクランプされたディスクＤを回転駆動してドライブし、情報の記録／再生が行われる。
【００２３】
つぎに、符号Ｂはフレーム部材８に支持されたヘッドユニットであり、光ピックアップ１２をディスクＤの半径方向に往復動させるためのキャリアブロック１３が、その両端をフレーム部材８に固定されたガイドシャフト１４・１５に支持され、スレッドモータ１６およびギヤユニット（図示省略）により往復動される。
【００２４】
符号１７は直径１２ｃｍのディスクＤを装置内部へ案内するとともに装置外部へ押し出す動作を司るディスク支持アームであり、その先端には、１２ｃｍディスク以外の小径ディスク、具体的には直径８ｃｍディスクＤｓが誤挿入された場合に、誤挿入を制止し装置内部への進入を阻止するためのストッパ１９が取り付けられている。図３に示すように、ストッパ１９は、８ｃｍディスクＤｓの前周縁に接触する当接部１９ａが弾性部１９ｂを介して、ディスク支持アーム１７の先端に取り付けられている。より詳しくは、ストッパ１９の係止部１９ｃが、ディスク支持アーム１７の先端に設けられた被係止部１７ｂに係合し、ストッパ１９の係止爪１９ｄが、ディスク支持アーム１７の先端に設けられた通孔１７ｃに差し込まれることによって、ストッパ１９がディスク支持アーム１７の先端に取り付けられている。本実施形態では、弾性体であるリーフスプリングがストッパ１９としてディスク支持アーム１７の先端に取り付けられている。８ｃｍディスクＤｓが誤挿入された場合の詳細な動作については後述する。
【００２５】
ディスク支持アーム１７の先端にはディスクＤの端部を支持するホルダー１８も固定されている。前記ホルダー１８は、図３に示すように先端に受端部１８ａが形成され、側部に保持溝１８ｂが形成されている。また、ホルダー１８は、支持アーム取り付け口１８ｃにディスク支持アーム１７の先端１７ａが差し込まれ、裏面側からねじ止めさせることによってディスク支持アーム１７に固定されている。このホルダー１８がディスク支持アーム１７に固定されることによって、ストッパ１９がディスク支持アーム１７から外れることを防止している。なお、このホルダー１８は、全体を摩擦係数の高い素材で成形するか、前記受端部１８ａおよび保持溝１８ｂにシリコンゴムなどを貼着し、ディスクＤに摩擦抵抗が作用するようにしておいてもよい。このようにすれば、回転駆動されているディスクＤのクランプを解除し、ディスク支持アーム１７でディスクＤを支持するとき、ホルダー１８によって素早くディスクＤの回転を止めることが可能となる。
【００２６】
また、ベースパネル６の裏面側では、ローディングモータ２４を駆動することにより、搬送機構であるラック主体（図示省略）をシャーシケース２内で前進または後退させている。ラック主体を前進または後退させることにより、このラック主体に連結されているリンクアーム（図示省略）が駆動し、これに伴い、このリンクアームに連結しているディスク支持アーム１７が揺動することになる。これと同期して、図２に示すベースパネル６面でラック主体に連結されているレバーアーム２０により誘引アーム２１が揺動されることになる。
【００２７】
つぎに、１２ｃｍディスクＤを操作者が挿入する場合のディスク装置１の動作態様について説明する。図２に示す構成においては、操作者がディスクＤを挿入すると、ディスクＤはディスク支持アーム１７のホルダー１８および誘引アーム２１によりディスクＤを装置内部へ案内する。なお、同図において、実線で示すディスク支持アーム１７の状態は、操作者がディスクＤをスロット３ａから挿入し、その前端がディスク支持アーム１７の先端のホルダー１８の受端部１８ａに収まって支持された状態の初期状態を示す。
【００２８】
前記初期状態から操作者がディスクＤを装置内部へ押し込むと、ディスク支持アーム１７が後方へ揺動する。そして、図示しないがベースパネル６の裏面に配設されているディスク支持アーム１７の角度位置検出スイッチが駆動開始位置を検出する。
【００２９】
駆動開始位置を検出すると、ローディングモータ２４が駆動され、搬送機構が駆動を開始する。すると、ラック主体が後退を開始し、ラック主体の後退に伴ってレバーアーム２０が牽引されることにより誘引アーム２１が揺動する。そして、誘引アーム２１とディスク支持アーム１７とによりディスクＤをチャッキングする。
【００３０】
さらにラック主体が後退すると、ディスク支持アーム１７および誘引アーム２１が後方へ揺動してディスクＤを搬入し、ディスクＤの中心孔Ｄａがクランプヘッド７上に一致した位置となる。なお、この時点までは、ホルダー１８と誘引アーム２１でディスクＤをチャッキングして保持しており、ディスク支持アーム１７と誘引アーム２１は同期して揺動してくる。
【００３１】
この後、フレーム部材８に固定された従動ピン２２が、ラック主体とこのラック主体に同期して前進後退するスライド部材（図示省略）に形成されたカム溝で案内されることによって、フレーム部材８の昇降機構が動作する。すなわち、ラック主体がさらに後退すると、従動ピン２２がカム溝の傾斜部に案内されて上昇し、これに伴いフレーム部材８およびクランプヘッド７が上昇を開始する。
【００３２】
そして、クランプヘッド７のチャック爪７ａがディスクＤの中心孔Ｄａの開口端部に当接する。さらにクランプヘッド７が上昇すると、そのチャック爪７ａがディスクＤを押し上げ、その中心孔Ｄａの開口端部をシャーシケース２の開口２ａの凸部２ｂに押し付ける。すると、クランプヘッド７がディスクＤの中心孔Ｄａに嵌入し、そのチャック爪７ａがディスクＤの開口端部で係止する。すなわち、ターンテーブル１０上にディスクＤを固定し、クランプがなされる。
【００３３】
クランプヘッド７がディスクＤの中心孔Ｄａをクランプした後、ラック主体が僅かに後退すると、ディスク支持アーム１７も僅かに揺動し、ホルダー１８によるディスクＤのチャッキングが解除される。このとき、誘引アーム２１も同期して僅かに揺動し、ディスクＤのチャッキングを解除する。また、フレーム部材８の昇降機構では、従動ピン２２がカム溝内で僅かに降下し、ディスクＤの回転駆動が可能な状態となる。すなわち、クランプ動作が終了する。
【００３４】
以上は、直径１２ｃｍのディスクＤの搬入時のディスク装置１の動作態様であるが、ディスクＤの搬出時は、これと逆の経路を辿り各部の機構要素は逆の動作を行う。すなわち、搬送機構が逆に駆動され、ラック主体を前進させてディスク支持アーム１７が前方へ揺動する。そして、図２において、実線で示すディスク支持アーム１７の位置まで揺動し、ディスクＤの約半分をスロット３ａから排出して搬出を完了する。
【００３５】
つぎに、上述のようなディスク装置１において、図４に示すように直径１２ｃｍのディスクＤよりも小さい直径８ｃｍの小径ディスクＤｓが、ディスク装置１の右端寄りにスロット３ａから挿入された場合の動作について、説明する。
【００３６】
操作者が８ｃｍディスクＤｓをディスク装置１の右端寄り（誘引アーム２１寄り）に位置するようにしてスロット３ａから挿入した場合、図５に示すように、８ｃｍディスクＤｓ全体が装置内部に完全に入り込んでしまう前に、ディスクＤｓの前周縁が、ディスク支持アーム１７の先端に取り付けられたストッパ１９の当接部１９ａに接触することとなる。したがって、８ｃｍディスクＤｓの挿入が制止され、装置内部への進入が阻止される。
【００３７】
この図５の状態において、操作者がディスクＤｓを装置内部へさらに押し込むと、ディスクＤｓの前周縁によりストッパ１９の当接部１９ａが押圧される。しかし、本実施形態においては、ストッパ１９として弾性体であるリーフスプリングを用いており、当接部１９ａは、リーフスプリングの弾性部１９ｂを介してディスク支持アーム１７に固定されている。これにより、ディスクＤｓの前周縁に接触しているストッパ１９の当接部１９ａが、押圧され押し込まれたとしても、その押圧により発生した弾性部１９ｂの弾性力によって当接部１９ａは押し戻される。これに伴って、ディスクＤｓは、操作者側に押し戻されることとなる。すなわち、ディスクＤｓがスロット３ａから操作者側へ一瞬飛び出すように押し戻される。したがって、ディスクＤｓが搬出方向に押し戻されることによって、ディスク装置１が８ｃｍディスクＤｓのドライブに対応していないと操作者に気付かせることができ、８ｃｍディスクＤｓの挿入を制止することができる。
【００３８】
また、図５に示すように、８ｃｍディスクＤｓが挿入され、ディスクＤｓの前周縁がストッパ１９の当接部１９ａに接触するときのディスク支持アーム１７の位置は、規定外径のディスク、具体的には１２ｃｍディスクの搬入を待機している位置である。つまり、ディスク支持アーム１７が最前方に揺動した位置である。この位置において、ディスク支持アーム１７を時計回り方向に揺動するように押圧する大きな力がディスク支持アーム１７に加わると、ディスク支持アーム１７が破損するおそれがある。しかし、本実施形態によれば、同図の位置からディスクＤｓがさらに押し込まれたとしても、ディスクＤｓの前周縁に接触しているストッパ１９の弾性部１９ｂが変形することで押圧力を吸収する。したがって、ディスク支持アーム１７に上述のような大きな力が加わることは無く、ディスク支持アーム１７が破損することを防ぐことができる。
【００３９】
このように、操作者によって８ｃｍディスクＤｓがスロット３ａから誤挿入されるようなことがあっても、８ｃｍディスクＤｓ全体が装置内部に完全に入り込んでしまう前に、操作者による誤挿入を制止し、８ｃｍディスクＤｓを操作者側に押し戻す構成としているため、操作者が８ｃｍディスクＤｓを装置内部から取り出すことができないといった不具合やディスク装置１の故障を防止することが可能となる。
【００４０】
図６には、８ｃｍディスクＤｓの進入を阻止するためのストッパ１９を取り付けていないディスク装置１に、操作者が８ｃｍディスクＤｓをディスク装置１の右端寄りに位置するようにしてスロット３ａから挿入した場合の状態が示されている。同図において、ディスク装置１のディスク支持アーム１７は、クランプヘッド７上を通らないように配置する必要があるため、クランプヘッド７より左側で揺動するよう配置されている。さらに、誘引アーム２１は、１２ｃｍディスクＤの搬入を装置の右端で待機するように配置されている。これらディスク装置１の構成上、８ｃｍディスクＤｓが装置内部へ進入できるほどのスペースが、ディスク支持アーム１７と誘引アーム２１との間に存在してしまう。このスペースが８ｃｍディスクＤｓの進入経路にならないように、本実施形態では、上述のようにディスク支持アーム１７にストッパ１９を取り付け、８ｃｍディスクＤｓの進入経路を塞ぐこととした。しかし、ディスク装置１にストッパ１９が取り付けられていない場合、このスペースが進入経路となって、８ｃｍディスクＤｓ全体がディスク装置１内部に進入してしまい、操作者によってディスクＤｓを取り出すことができなくなってしまうことが同図から理解されよう。
【００４１】
上述のように、ディスク装置１の構成上、８ｃｍディスクＤｓの装置内部への進入経路となり得るスペースが装置の右端側に存在する。このため、本実施形態のディスク装置１においては、８ｃｍディスクＤｓがディスク装置１の右端寄りに位置するように挿入された場合、このスペースが８ｃｍディスクＤｓの進入経路にならないように、ディスク支持アーム１７の先端にストッパ１９を取り付けることとした。そして、８ｃｍディスクＤｓの前周縁がこのストッパ１９の当接部１９ａに接触することによって、８ｃｍディスクＤｓの挿入を制止し、８ｃｍディスクＤｓが装置内部へ進入することを阻止するようにした。
【００４２】
なお、本実施形態のディスク装置１において、操作者が８ｃｍディスクＤｓをディスク装置１の右端以外の位置に位置するようにしてスロット３ａから挿入した場合は、８ｃｍディスクＤｓの前端が、１２ｃｍディスクＤの搬入を最前方で待機しているディスク支持アーム１７の先端のホルダー１８に当接し支持されることとなる。しかし、さらにディスクＤｓを装置内部へ押し込んだとしても、ディスク支持アーム１７の角度位置検出スイッチが駆動開始位置を検出するに至るまでディスク支持アーム１７を揺動させることができない。すなわち、８ｃｍディスクＤｓが小径のため、ディスクＤｓの前端がディスク支持アーム１７の先端のホルダー１８に当接し支持されても、搬送機構が駆動されず、ディスク支持アーム１７は最前方の待機位置に復帰する。したがって、８ｃｍディスクＤｓはディスク支持アーム１７により操作者側に押し戻されることとなり、８ｃｍディスクＤｓの装置内部への進入が確実に阻止される。
【００４３】
図７には、本実施形態のディスク装置１に規定外径のディスクである直径１２ｃｍディスクＤが挿入され、クランプ動作終了後、ディスクＤの回転駆動が可能になった状態が示されている。同図において、クランプヘッド７がディスクＤの中心孔Ｄａをクランプした後、ディスク支持アーム１７のホルダー１８によるディスクＤのチャッキングが解除された状態のときは、ディスク支持アーム１７の先端に取り付けられたストッパ１９の当接部１９ａが、装置内部の内壁の固定部２３に摺接することとなる。すなわち、ディスク支持アーム１７のホルダー１８によるディスクＤのチャッキングを解除するために、ディスク支持アーム１７が後方へ僅かに揺動すると、ストッパ１９の当接部１９ａが固定部２３に摺接し、ディスク支持アーム１７の位置が固定される。したがって、スピンドルモータ１１によりクランプヘッド７にクランプされたディスクＤを回転駆動して情報の記録動作中および再生動作中に、ディスク支持アーム１７が激しく振動したり、がたつくことが抑制される。これにより、ディスク支持アーム１７の振動やがたつきに起因する騒音や各機構部分の破損が防止される。さらに、本実施形態においては、ストッパ１９として弾性体であるリーフスプリングを用いており、ディスク支持アーム１７はリーフスプリングの弾性部１９ｂを介して固定部２３に固定されるため、ディスク支持アーム１７の振動やがたつきを確実に防止することができる。
【００４４】
以上、本発明の実施形態について説明したが、本発明は図面に示された実施形態に限定されることなく、本発明の技術的思想に基づいて各種の変更が可能である。
【００４５】
例えば、本発明の実施形態では、ストッパ１９としてリーフスプリングを用い、ディスク支持アーム１７に取り付けたが、８ｃｍディスクＤｓの前周縁に接触する当接部が弾性部を介してディスク支持アーム１７に取り付ける構成ならば、適宜変更しても良い。
【図面の簡単な説明】
【００４６】
【図１】本発明の実施形態にかかるディスク装置の外観を示す斜視図である。
【図２】図１のディスク装置において、１２ｃｍディスクが挿入される場合の内部構造を示す平面図である。
【図３】ディスク支持アームのホルダーとストッパの構成を説明するための斜視図である。
【図４】図１のディスク装置において、８ｃｍディスクが挿入される場合の外観を示す斜視図である。
【図５】図１のディスク装置において、８ｃｍディスクが装置の右端寄りに挿入される場合の内部構造を示す平面図である。
【図６】図１のディスク装置において、ストッパを取り付けていない状態で８ｃｍディスクが挿入される場合の内部構造を示す平面図である。
【図７】図１のディスク装置において、１２ｃｍディスクが挿入されディスクの回転駆動が可能になった状態の内部構造を示す平面図である。
【図８】従来のディスク装置の構成を説明するための図である。
【図９】従来のディスク装置の構成を説明するための図である。
【符号の説明】
【００４７】
１・・・・・・ディスク装置
２・・・・・・シャーシケース
３・・・・・・ベゼル
４・・・・・・押釦
５・・・・・・インジケータ
６・・・・・・ベースパネル
７・・・・・・クランプヘッド
８・・・・・・フレーム部材
９・・・・・・緩衝支持構造
１０・・・・・ターンテーブル
１１・・・・・スピンドルモータ
１２・・・・・光ピックアップ
１３・・・・・キャリアブロック
１４・１５・・ガイドシャフト
１６・・・・・スレッドモータ
１７・・・・・ディスク支持アーム
１８・・・・・ホルダー
１９・・・・・ストッパ
２０・・・・・レバーアーム
２１・・・・・誘引アーム
２２・・・・・従動ピン
２３・・・・・固定部
２４・・・・・ローディングモータ
【図１】
2005243091.tif 000003
【図２】
2005243091.tif 000004
【図３】
2005243091.tif 000005
【図４】
2005243091.tif 000006
【図５】
2005243091.tif 000007
【図６】
2005243091.tif 000008
【図７】
2005243091.tif 000009
【図８】
2005243091.tif 000010
【図９】
2005243091.tif 000011